(57)【要約】【課題】長期間にわたり高い拭き取り性能を保持しつつ、使用期間中常に安定して筆記面上に保持され得るホワイトボード用イレーザを提供する。【解決手段】本発明に係るホワイトボード用イレーザは、使用者に把持され得る本体と、本体の一面側に取り付けられホワイトボードの筆記面上の筆記を拭き取るための拭き取り面を一面側に有したシートを厚み方向に剥離可能に複数積層させてなる多層シートと、前記本体又は前記多層シートに前記厚み方向に沿って保持位置を調整可能に設けられ前記拭き取り面が前記筆記面に接した状態で前記筆記面に吸着固定され得る磁石とを具備する。【選択図】図３
2017077704.tif 000002
【特許請求の範囲】
【請求項１】
使用者に把持され得る本体と、
本体の一面側に取り付けられホワイトボードの筆記面上の筆記を拭き取るための拭き取り面を一面側に有したシートを厚み方向に剥離可能に複数積層させてなる多層シートと、
前記本体又は前記多層シートに前記厚み方向に沿って保持位置を調整可能に設けられ前記拭き取り面が前記筆記面に接した状態で前記筆記面に吸着固定され得る磁石と
を具備するホワイトボード用イレーザ。
【請求項２】
前記磁石を固定支持し得るホルダを有するものであり、
このホルダが、前記本体又は前記多層シートに保持されている請求項１記載のホワイトボード用イレーザ。
【請求項３】
前記ホルダが、前記本体及び前記多層シートに対し前記厚み方向に連通するように穿たれた開口に挿入された樹脂製の発泡体であり、前記磁石が、この開口内に保持されている請求項２記載のホワイトボード用イレーザ。
【請求項４】
前記本体が、前記ホルダと同じ樹脂製の発泡体であり、前記ホルダの外形が、前記開口よりも大きく構成されている請求項３記載のホワイトボード用イレーザ
【請求項５】
前記磁石が、前記開口よりも小さい外形を有し前記開口に接しないように前記ホルダに保持されている請求項３又は４記載のホワイトボード用イレーザ。
【請求項６】
前記開口が、一箇所のみ設けられたものであり、
全体の重心が、前記開口と重複又は近接している請求項３、４又は５記載のホワイトボード用イレーザ。
【請求項７】
前記磁石と前記筆記面との間に所定の間隔を設けるためのスペーサを有するものであり、
このスペーサが、一面側が前記拭き取り面とともに前記筆記面に接し他面側が前記磁石に固定されたシート状をなすものである請求項１、２、３、４、５又は６記載のホワイトボード用イレーザ。
【請求項８】
前記シートが、平面視鋭角をなした端縁を有している請求項１、２、３、４、５、６又は７記載のホワイトボード用イレーザ。
【発明の詳細な説明】
【技術分野】
【０００１】
本発明は、ホワイトボードの筆記面上の筆記を拭き取り得るホワイトボード用イレーザに関するものである。
【背景技術】
【０００２】
従来、黒板消しのみならず、ホワイトボード用イレーザにおいて磁石を設けることにより、黒板の盤面やホワイトボードの筆記面の任意の箇所に保持させておくことができるものが提案されている(例えば、特許文献１及び特許文献２参照)。斯かる特許文献に記載のものは、所要の時にのみ磁石を盤面又は筆記面に近接させることにより、盤面上のチョークや筆記面上のマーカによる筆記を拭き取るための拭き取り面を盤面或いは筆記面に接した状態で磁力により保持させることができるものである。
【０００３】
そして現在、ホワイトボード用イレーザでは、常に拭き取り面を清潔に保つことで高い拭き取り性能を長期間維持すべく、互いに剥離可能に積層された多層シートを有するものが提案されている（例えば、非特許文献１参照）。これにより、単に筆記面の拭き取り作業効率の向上のみならず、ホワイトボードの使用者の作業効率の向上から、当該ホワイトボードを用いたミーティングの高効率化にも寄与せしめている。
【先行技術文献】
【特許文献】
【０００４】
【特許文献１】実公昭５２−１０２２４２号公報
【特許文献２】実開平０３―０７２４９８号公報
【非特許文献】
【０００５】
【非特許文献１】「コクヨ２０１５総合カタログ」、ステーショナリー編、コクヨ株式会社、２０１４年１２月発行、Ｐ．４６７
【発明の概要】
【発明が解決しようとする課題】
【０００６】
しかしながら、多層シートを設けたものに対し、筆記面に拭き取り面が接した状態で磁力により保持させようとすると、多層シートにおけるシートの積層枚数によって筆記面に対する吸着力が変化してしまう。そうなると、まだ新しくシートの積層枚数が多い状態を想定して磁石の位置又は磁力を設定すれば積層枚数が少なくなると筆記面への吸着力が大きくなり過ぎて拭き取り作業で不要に大きな労力を要することになる。その反面積層枚数が少ない状態を想定して磁石の位置又は磁力を設定すれば積層枚数が多いときには吸着力が弱すぎて筆記面上に安定して保持できないという不具合が起こり得る。
【０００７】
本発明は、このような不具合に着目したものであり、長期間にわたり高い拭き取り性能を保持しつつ、使用期間中常に安定して筆記面上に保持され得るホワイトボード用イレーザを提供することを目的としている。
【課題を解決するための手段】
【０００８】
本発明は、このような目的を達成するために、次のような手段を講じたものである。
【０００９】
すなわち本発明に係るホワイトボード用イレーザは、使用者に把持され得る本体と、本体の一面側に取り付けられホワイトボードの筆記面上の筆記を拭き取るための拭き取り面を一面側に有したシートを厚み方向に剥離可能に複数積層させてなる多層シートと、前記本体又は前記多層シートに前記厚み方向に沿って保持位置を調整可能に設けられ前記拭き取り面が前記筆記面に接した状態で前記筆記面に吸着固定され得る磁石とを具備することを特徴とすることを特徴とする。
【００１０】
ここで、磁石の保持位置が「調整可能に」設けられるということは、磁石と筆記面との距離が調整されるときに使用者の意図を介して調整されることだけでなく、使用者の意図を介さないで調整されることをも含む概念である。
【００１１】
このようなものであれば、使用者が多層シートを構成するシートを剥離して多層シートの厚み寸法が逓減していっても、磁石と筆記面との相対距離を所定の寸法に保つことができるので、磁石を吸着し得る筆記面に対して拭き取り面を所要の強度で吸着させることができる。その結果本発明によれば、長期間にわたり高い拭き取り性能を保持しつつ、使用期間中常に安定して筆記面上に保持され得るホワイトボード用イレーザを提供することができる。
【００１２】
また、磁石を多層シートに対して安定して保持するための具体的な構成として、磁石を固定支持し得るホルダを有するものであり、このホルダが、本体又は多層シートに保持されている構成を挙げることができる。
【００１３】
また、使用者が容易に磁石の位置を修正できるようにするためには、ホルダを、本体及び多層シートに対し厚み方向に連通するように穿たれた開口に挿入された樹脂製の発泡体とし、磁石を、この開口内に保持させておくことが望ましい。
【００１４】
ホルダがより確実に本体に保持され得るようにするためには、本体を、ホルダと同じ樹脂製の発泡体とし、ホルダの外形を、開口よりも大きく構成すればよい。これにより、樹脂製の発泡体の有用な特性である摩擦と弾性を併せて利用し、より有効な磁石に保持に資する。
【００１５】
使用中の磁石が所要の位置に安定して保持され得るようにするためには、磁石を、開口よりも小さい外形を有し開口に接しないようにホルダに保持されているようにすることが好ましい。
【００１６】
筆記面に保持された状態を安定して維持されるようにして筆記面上で使用者が手を離しても向きが変わったり筆記面から脱落してしまったりすることを有効に回避するためには、磁石を収容している開口を一箇所のみ設け、全体の重心を、開口と重複又は近接するようにすればよい。これにより、筆記面に磁力で吸着した後使用者の手から本体が離れたとき、重心が下方に移動しようとして本体が磁石を中心として筆記面上で回転して向きを変えてしまったり、当該回転により磁石が筆記面に吸着し得なくなり拭き取り面が筆記面から離間してホワイトボード用イレーザ自体が筆記面から脱落してしまったりするという不具合を有効に回避し得る。
【００１７】
ホワイトボード用イレーザとしての性能をより高くするとともに筆記面と磁石との間に設ける所定寸法をより正確にするためには、拭き取り面側から露出し前記磁石と前記筆記面との間に所定の間隔を設けるためのスペーサを有するものとし、このスペーサを、一面側が拭き取り面とともに筆記面に接し他面側が磁石に固定されたシート状をなすものとすればよい。
【００１８】
ここで、スペーサとは、筆記面と磁石との間に直接的に介在する態様に限られることはなく、シートの剥離に伴って減少していく多層シートの厚み寸法に拘わらず、筆記面と磁石との間に所定の隙間を形成する態様等をも含まれる概念である。また、本体とは、使用者に把持され得るように形成されていればよく、多層シートと一体であっても良い。
【００１９】
また、筆記面上の記載の所要の箇所のみ正確且つ確実に拭き取り得るようにするためには、シートを、平面視鋭角をなした端縁を有したものとすればよい。これにより、端縁及びその周辺の領域を筆記面の所要の領域のみに接しさせて拭き取ることで、使用者は所要の箇所のみ正確に拭き取り面を当てることができる。また端縁が平面視鋭角をなすことで、直角や鈍角をなした部分よりも、所要の箇所周辺の視認性が高くなり、拭き取り作業の正確性の向上にも資する。
【発明の効果】
【００２０】
本発明によれば、長期間にわたり高い拭き取り性能を保持しつつ、使用期間中常に安定して筆記面上に保持され得るホワイトボード用イレーザを提供することができる。
【図面の簡単な説明】
【００２１】
【図１】本発明の一実施形態に係る外観図。
【図２】同斜視図。
【図３】同上。
【図４】同平面図。
【図５】同分解斜視図。
【図６】図中央縦断面図。
【図７】図６に係る作用説明図。
【図８】同上。
【図９】同実施形態の変形例に係る分解斜視図。
【発明を実施するための形態】
【００２２】
以下、本発明の一実施の形態について図面を参照して説明する。
【００２３】
本実施形態に係るホワイトボード用イレーザ（以下、イレーザと記す）Ａは、例えばオフィスや公共機関において用いられるホワイトボード１００の筆記面１０４に例えば専用のマーカによって記された記載を好適に拭き取るためのものである。
【００２４】
ホワイトボード１００は、図１にその一例を示すように、本実施形態では床面上を任意に移動可能であるキャスタ付きの脚ベース１０１と、この脚ベース１０１から立設される脚支柱１０２と、この脚支柱１０２に支持されたボード１０３とを具備するものである。そしてボード１０３が、その少なくとも一面に磁石を吸着し得る金属素材の表面に白色の着色を施した筆記面１０４を有している。ここで当該ホワイトボード１００に関しては図示の態様のみならず、例えばオフィスの空間を間仕切るための間仕切り壁に上記ボード１０３を配することによりオフィスに予め設けられたものや脚ベース１０１、脚支柱１０２を有さないボード１０３のみの態様のもの等、既存の種々の態様を利用し得るため、本明細書では更なる説明を省略する。
【００２５】
ここで、本実施形態に係るイレーザＡは、使用者に把持され得る本体１と、本体１の一面側に取り付けられホワイトボード１００の筆記面１０４上の筆記を拭き取るための拭き取り面２２を一面側に有したシートを厚み方向に剥離可能に複数積層させてなる多層シート２と、本体１又は多層シート２に厚み方向に沿って保持位置を調整可能に設けられ拭き取り面２２が筆記面１０４に接した状態で筆記面１０４との間で所定の間隔が維持されながら吸着固定され得る磁石たるマグネット４とを具備することを特徴とするものである。加えて本実施形態では、上記本体１、多層シート２、マグネット４及びマグネットカバー５に加え、マグネット４を固定支持し得るホルダ３と、拭き取り面２２側から露出しマグネット４と筆記面１０４との間に所定の間隔を設けるためのスペーサたるマグネットカバー５と有する。具体的にはこのホルダ３がマグネット４を支持しながら、本体１に保持されている。なおこのイレーザＡは勿論上下左右共に様々な向きで使用することができるものであるが説明の便宜上、筆記面１０４にマグネット４を吸着させたときに本体１において使用者側に面する側を「上」とし、同様に筆記面１０４に面する側を「下」とし、図４の如く「上」側から視るときを「平面視」として説明する。
【００２６】
以下、斯かるイレーザＡの構成について、図１〜図５を参照しつつ具体的に説明する。
【００２７】
本体１は、例えばウレタン素材やＥＶＡ樹脂素材からなる樹脂製の発泡体である。この本体１は、平面視形状が使用者側に臨む上面を有するとともにこの上面１２の反対側において多層シート２を支持している。そしてこの本体１は上下に亘って同じ形状であり且つ多層シート２とも同じ平面視形状をなす。この本体１の平面視形状は、使用者が容易に把持し易いよう、左右対称をなす縦長の概略五角形状をなしている。そして図４での図示すなわち平面視左右中央且つ上下方向では中央よりも若干上側にマグネット４を挿入するための開口たる上開口１１が一箇所のみ穿たれている。この上開口１１の開口縁１３に対しホルダ３を挿入することでマグネット４を任意の上下位置に固定することができる。
【００２８】
この本体１の平面視形状について具体的に説明すると、基端面１ｅを底辺、先端縁１ａを頂点とした左右対称の縦長の概略五角形状をなす。詳細には、上述した基端面１ｅ及び先端縁１ａと、この先端縁１ａから鋭角をなして拡開する拡開領域１ｂと、上開口１１近傍において最も左右の寸法が大きくなる膨出領域１ｃと、この膨出領域１ｃから基端面１ｅに亘るまで左右の寸法が漸次狭まるように形成されたテーパ領域１ｄとを有している。
【００２９】
多層シート２は、特に図３に示すように、例えば従前より拭き取り用の素材として用いられる例えば同じ平面視形状をなすフェルト製のシート２０を１０層に重ねることによって構成されている。そしてこれら各シート２０における下側の面を拭き取り面２２としつつ各シート２０が剥離可能に重ねられている。これにより、使用により筆記面１０４上のマーカが十分に拭き取られたと判断した使用者は最下層のシート２０を剥離し、すぐ上層にある別のシート２０の拭き取り面２２を露出させて、継続して使用することができる。そして図示しないがこれら層状に重ねられた各シート２０は２色の異なる色彩を呈している。そしてこれら色彩の異なるシート２０が交互に重ねられることにより、使用者は多層シート２におけるシート２０が重なり枚数を容易に把握することができる。
【００３０】
この多層シート２の平面視形状は上述の通り本体１と同じ形状である。すなわちこの多層シート２の平面視形状についても説明すると、使用者が容易に把持し易いよう、左右対称をなす縦長の概略五角形状をなしている。そして図４での図示すなわち平面視左右中央且つ上下方向では中央よりも若干上側にマグネット４を挿入するための開口たる下開口２１が一箇所のみ穿たれている。この下開口２１の開口縁１３に対しホルダ３或いはマグネット４を挿入することでマグネット４を任意の上下位置に固定することができる。
【００３１】
この多層シート２の平面視形状について具体的に説明すると、平面視形状は基端面２ｅを底辺、先端縁２ａを頂点とした左右対称の縦長の概略五角形状をなす。詳細には、上述した基端面２ｅ及び先端縁２ａと、この先端縁２ａから鋭角をなして拡開する拡開領域２ｂと、開口近傍において最も左右の寸法が大きくなる膨出領域２ｃと、この膨出領域２ｃから基端面２ｅに亘るまで左右の寸法が漸次狭まるように形成されたテーパ領域２ｄとを有している。
【００３２】
ホルダ３は、本体１及び多層シート２に対し厚み方向に連通するように穿たれた開口たる上開口１１並びに下開口２１に挿入される平面視概略真円形状をなした円筒形状をなす本体１と同じ素材すなわち樹脂製の発泡体である。このホルダ３は、マグネット４を下面側で支持しつつ上開口１１及び下開口２１へ挿入されることによりマグネット４を所要の上下位置で上開口１１並びに下開口２１内に保持するためのものである。このホルダ３は、本体１の上開口１１から表出する表出面３１と、開口に接した状態で保持され得る円筒面３２と、下面側で例えば粘着剤を介してマグネット４を支持するための支持面３３とを有している。本実施形態では、このホルダ３の外形を上開口１１並びに下開口２１よりも大きく構成している。これにより、円筒面３２が上開口１１並びに下開口２１の開口縁１３、２３に対し圧迫しながら挿入されることで、本体１並びに多層シート２に対する摩擦による安定した位置決めを実現している。
【００３３】
マグネット４は、本実施形態では概略円筒形状をなす硬質の永久磁石であり、使用者側ではホルダ３に対し粘着剤を介して支持されるとともに筆記面１０４側ではマグネットカバー５に対し接着されている。このマグネット４は、開口すなわち本体１の上開口１１並びに多層シート２の下開口２１よりも小さい外形を有しこれら上開口１１並びに下開口２１に接しないようにホルダ３に保持されている。
【００３４】
マグネットカバー５は、本実施形態では上記多層シート２を構成しているフェルト素材と同じ素材から構成され筆記面１０４側である下側を上記拭き取り面２２と同じ作用つまり拭き取り可能である露出面５２とするともに、使用者側である上側を、マグネット４に固定されるための接着面５１としたものである。
【００３５】
しかして本実施形態に係るこのマグネットカバー５の厚み寸法を１ｍｍに設定することにより、露出面５２が筆記面１０４に接しているときは、常にマグネット４と筆記面１０４との距離が約１ｍｍに保持されることになる。すなわち当該マグネットカバー５は、マグネット４と筆記面１０４との距離を一定に保つためのスペーサとしての作用を奏している。
【００３６】
すなわち図６〜図８に示すように、当該スペーサは継続的な使用により多層シート２を構成するシート２０が順次剥離されるが、マグネット４と筆記面１０４との距離は常に一定である。
【００３７】
図６では、例えば使用開始間もない状態にあり多層シート２が１０枚のシート２０全て重ねられた状態を示している。このときホルダ３は本体１の上開口１１及び多層シート２の下開口２１ともに円筒面３２が開口縁１３、２３に対し圧迫しながら挿入される点、及びマグネット４と筆記面１０４との間には常にマグネットカバー５が介在している点によりマグネット４上下位置が筆記面１０４に対して安定して支持されている。
【００３８】
図７では、継続した使用により１０枚のうち３枚のシート２０が剥離された状態を示している。このときホルダ３は若干本体１よりの位置にずれながらも上記同様に円筒面３２が開口縁１３、２３に対し圧迫しながら挿入される点、及びマグネット４と筆記面１０４との間には常にマグネットカバー５が介在している点によりマグネット４上下位置が筆記面１０４に対して安定して支持されている。
【００３９】
図８では、長期の使用により１０枚のうち９枚のシート２０が剥離された状態を示している。この状態にあってもホルダ３は専ら本体１に支持され円筒面３２が開口縁１３に対し圧迫しながら挿入される点、及びマグネット４と筆記面１０４との間には常にマグネットカバー５が介在している点によりマグネット４上下位置が筆記面１０４に対して安定して支持されている。
【００４０】
すなわち、マグネット４の位置を本体１に対し変更不能に固定すれば多層シート２の厚みが変わればマグネット４と筆記面１０４との距離も変わってしまう。しかし本実施形態ではマグネット４と筆記面１０４との距離は常に一定であるため、筆記面１０４には常にマグネット４による所要の磁力が作用している。これにより、多層シート２の厚みが多いときでも筆記面１０４に作用する磁力が弱すぎてイレーザＡが不意に筆記面１０４から脱落してしまうことが無い。また、多層シート２の厚みが小さいときでも筆記面１０４に作用する磁力が強すぎて当該磁力が使用者の拭き取り作業に対する不要な抵抗となってしまうことも無い。
【００４１】
加えて本実施形態では、マグネット４以外の各構成要素の素材を全てマグネット４よりも比重が軽い素材を適用しているものの、全体の重心Ｃが、マグネット４が位置している開口である上開口１１及び下開口２１の位置と重複させているため、使用者がイレーザＡから手を離した図１に示すような状態で、イレーザＡがマグネット４を中心に回転してしまうことがない、つまりマグネット４の位置を全体の重心が離れたものであれば当該重心がマグネット４から床面へ向かう方向に重力により移動し、イレーザＡ全体が回動してしまい、このときにマグネット４と筆記面１０４が離間してしまいイレーザＡが筆記面１０４から脱落するという事態が起こり得る。しかし本実施形態では図４に示すように、マグネット４を先端縁１ａ、２ａよりに配置しつつも膨出領域１ｃ、２ｃから基端面１ｅ、２ｅまでの領域をテーパ領域１ｄ、２ｄとした結果、重心Ｃも先端縁１ａ、２ａよりに設定されるため重心Ｃとマグネット４すなわち上開口１１並びに下開口２１の位置が重複し、上記不具合が起こることもない。
【００４２】
さらに本実施形態では、本体１と多層シート２を構成する個々のシート２０とを同じ平面視形状とし、先端縁２ａから鋭角をなして拡開する拡開領域２ｂを形成することで、先端縁２ａ近傍の領域を平面視鋭角をなした端縁として有効に使用することができる。すなわち使用者はイレーザＡの拭き取り面２２全体を有効に使用して筆記面１０４の広い領域を速やかに拭き取る作業が行い得るほか、上記先端縁２ａ近傍の領域を利用して、筆記面１０４上の記載の細かな修正を目的とした、狭い領域や小さい面積のみを周囲の記載を拭き取ってしまうことなく正確に拭き取ることができる。これは、いわゆる拭き取り面２２の「カド」に相当する先端縁２ａ近傍の平面視鋭角をなして拡開する拡開領域２ｂとなっているために使用者は先端縁２ａが筆記面１０４に接しているときの先端縁２ａの近傍の視認が行い易いからである。これにより使用者は、先端縁２ａの位置が筆記面１０４上で自らの意図通りの位置にあるか否かを確実に視認しながら拭き取り作業が行えるからである。
【００４３】
以上のような構成とすることにより、本実施形態に係るホワイトボード１００用のイレーザＡは、使用者がシート２０を剥離してゆき本体１に支持される多層シート２の厚み寸法が逓減していっても、マグネット４と筆記面１０４との相対距離が多層シート２の厚み寸法に応じて調整される結果、所定の寸法に保つことができるので、筆記面１０４に対して拭き取り面２２を所要の強度で吸着させるべく適度な強度の磁力を筆記面１０４に作用させることができる。その結果本、長期間にわたり高い拭き取り性能を保持しつつ、使用期間中常に安定して筆記面１０４上に保持され得るイレーザＡが実現されている。特に本実施形態ではマグネット４は上下方向において無段階で任意の位置に保持可能に構成されているので、多層シート２の厚み寸法に応じて常に最適な磁力を筆記面１０４に作用せしめている。
【００４４】
また、マグネット４を多層シート２に対して安定して保持するための具体的な構成として本実施形態では、マグネット４を固定支持し得るホルダ３を設け、このホルダ３を本体１又は多層シート２に保持させている態様を適用している。
【００４５】
そして使用者が容易にマグネット４の上下位置を適宜修正できるようにするために本実施形態では、ホルダ３を、本体１及び多層シート２に対し厚み方向に連通するように穿たれた開口たる上開口１１並びに下開口２１に挿入される樹脂製の発泡体とし、マグネット４を、これら上開口１１或いは下開口２１内に保持させている。
【００４６】
ホルダ３がより確実に本体１に保持され得るようにするために本実施形態では、本体１を、ホルダ３と同じ樹脂製の発泡体とし、ホルダ３の外形を、開口よりも大きく構成することにより、樹脂製の発泡体の有用な特性である摩擦と弾性を併せて利用し、より安定したマグネット４の保持を実現している。
【００４７】
使用中のマグネット４が所要の位置に安定して保持され得るようにするために本実施形態では、マグネット４を、開口よりも小さい外形を有し開口たる上開口１１並びに下開口２１に接しないようにホルダ３に保持されるようにしている。
【００４８】
筆記面１０４に保持された状態を安定して維持されるようにして筆記面１０４上で使用者が手を離してもイレーザＡの向きが変わったりイレーザＡが筆記面１０４から脱落してしまったりすることを有効に回避するために本実施形態では、マグネット４を収容している開口たる上開口１１並びに下開口２１を一箇所のみ設け、全体の重心Ｃを、これら上開口１１並びに下開口２１と重複するようにしている。その結果、筆記面１０４に磁力で吸着した後使用者の手から本体１が離れたとき、重心Ｃが下方に移動しようとして本体１がマグネット４を中心として筆記面１０４上で回転して向きを変えてしまったり、当該回転によりマグネット４が筆記面１０４に吸着し得なくなり拭き取り面２２が筆記面１０４から離間してイレーザＡ自体が筆記面１０４から脱落してしまったりするという不具合を有効に回避している。
【００４９】
ホワイトボード１００用のイレーザＡとしての性能をより高くするとともに筆記面１０４とマグネット４との間に設ける所定寸法をより正確にするために本実施形態では、スペーサの作用を奏するものとして、一面側が拭き取り面２２とともに筆記面１０４に接し他面側がマグネット４に固定されたシート状をなすマグネットカバー５を適用している。また本実施形態では具体的に図示していないが、このフェルト素材からなるマグネットカバー５は、マグネット４に対し交換可能としてもよい。
【００５０】
また、筆記面１０４上の記載の所要の箇所のみ正確且つ確実に拭き取り得るようにするために本実施形態では、シート２０を、平面視鋭角をなした端縁を形成し得る形状なすように先端縁２ａ並びに拡開領域２ｂを設定している。これにより、先端縁２ａ及びその周辺の領域を筆記面１０４の所要の領域のみに接しさせて拭き取ることで、使用者は所要の箇所のみ正確に拭き取り面２２を当てることができる。また先端縁２ａ及びその周辺の領域が平面視鋭角をなすことで、直角や鈍角をなした他の部分よりも、所要の箇所周辺の視認性が高くなっているので、拭き取り作業の正確性が有効に向上している。
【００５１】
＜変形例＞
以下、本実施形態の変形例について説明する。当該変形例において、上記実施形態の構成要素に相当するものに対しては同じ符号を付すとともに、その詳細な説明を省略する。
【００５２】
本変形例に係るイレーザＡは、基本的な構成は上記図１〜図８に示した上記実施形態と同様であるが、図９に示すように、ホルダ３の上面を含む領域の径を大きくした鍔３４を設けている。
【００５３】
このようなものであっても、勿論上記実施形態同様の作用効果を奏する。加えて上記の鍔３４を設けることにより、使用者がホルダ３を上面側から強く押圧してもホルダ３の拭き取り面２２側からの不要な脱落を有効に回避できたものとなっている。
【００５４】
以上、本発明の実施形態について説明したが、各部の具体的な構成は、上述した実施形態のみに限定されるものではなく、本発明の趣旨を逸脱しない範囲で種々変形が可能である。
【００５５】
例えば、上記実施形態では単一の開口に対し単一の磁石を設け、当該磁石の保持位置がスペーサたるマグネットカバーを介して筆記面から離間した態様を開示したが勿論、磁石はスペーサを介さずに筆記面に接するものでもよい。またスペーサを設ける場合は、筆記面と磁石との距離が常に一定となるものであれば態様は問わない。その態様の一つとして、例えば各シートに設けた開口毎に拭き取り面に対し位置決めされたシート状の可撓性を有した磁石を設けておき、シートとともにシート状の磁石ごと剥離されるような態様としても良い。また本体の素材や平面視形状、さらには多層シートの厚みや素材といった具体的な態様は上記実施形態のものに限定されることはなく、既存のものを含め、種々の態様のものを適用することができる。
【００５６】
その他、各部の具体的構成についても上記実施形態に限られるものではなく、本発明の趣旨を逸脱しない範囲で種々変形が可能である。
【産業上の利用可能性】
【００５７】
本発明はホワイトボードの筆記面上の筆記を拭き取り得るイレーザとして利用することができる。
【符号の説明】
【００５８】
Ａ…イレーザ
１…本体
１１…開口（上開口）
２…多層シート
２ａ…端縁（先端縁）
２０…シート
２１…開口（下開口）
２２…拭き取り面
３…磁石ホルダ（ホルダ）
３２…圧入面（円筒面）
４…磁石（マグネット）
５…スペーサ（マグネットカバー）
１００…ホワイトボード
１０４…筆記面
Ｃ…重心
【図１】
2017077704.tif 000003
【図２】
2017077704.tif 000004
【図３】
2017077704.tif 000005
【図４】
2017077704.tif 000006
【図５】
2017077704.tif 000007
【図６】
2017077704.tif 000008
【図７】
2017077704.tif 000009
【図８】
2017077704.tif 000010
【図９】
2017077704.tif 000011